(57)【要約】【課題】光路上に抜き差し自在な光学フィルタを備えた絞り装置の小型・軽量化を図り、ＣＣＴＶカメラのレンズ鏡筒に簡単に取り付けられるようにする。【解決手段】光路を形成する開口部１０ａを有した絞り基板１０と、絞り基板の一方の板面にスライド自在に配置された２枚の絞り羽根１２、１３と、絞り羽根を駆動する絞り駆動装置２０と、光路上に抜き差し自在とされた２種２枚の光学フィルタ（赤外カットフィルタ及びダミーフィルタ）１５、１６と、２枚の光学フィルタの一方を光路上に挿入したとき他方を光路上から取り除き、他方を光路上に挿入したとき一方を光路上から取り除くフィルタ駆動装置３０と、を備え、光学フィルタ１５、１６を薄膜状に形成して絞り基板の一方の板面側に配置し、絞り羽根に沿ってスライド自在に設けた。【選択図】図１
2007057897.tif 000002
【特許請求の範囲】
【請求項１】
光路を形成する開口部を有した絞り基板と、
この絞り基板の一方の板面に配置され、該板面に沿ってスライドすることで前記光路を絞り調節する絞り羽根と、
前記光路を絞り調節するために前記絞り羽根を駆動する絞り駆動手段と、
前記光路上に抜き差し自在に設けられた２種類の光学フィルタと、
これら２種類の光学フィルタを前記光路上に選択的に抜き差しするフィルタ駆動手段と、を備え、
前記２種類の光学フィルタを薄膜状に形成して前記絞り基板の一方の板面側に配置し、前記絞り羽根に沿ってスライド自在に設けたことを特徴とする絞り装置。
【請求項２】
請求項１に記載の絞り装置であって、
前記２種類の光学フィルタとして、光学特性の異なる２枚の光学フィルタを備えており、前記フィルタ駆動手段は、前記２枚の光学フィルタの一方を光路上に挿入したとき他方を光路上から取り除き、他方を光路上に挿入したとき一方を光路上から取り除くように構成されていることを特徴とする絞り装置。
【請求項３】
請求項２に記載の絞り装置であって、
前記２枚の光学フィルタのうち、一方が赤外領域の光を遮断する赤外カットフィルタ、他方が前記赤外カットフィルタの有無による光路長差を補償するダミーフィルタであることを特徴とする絞り装置。
【請求項４】
請求項２または３に記載の絞り装置であって、
前記フィルタ駆動手段は、前記２枚の光学フィルタを光路上から選択的に取り除いて退避させるとき、２枚の光学フィルタを光路に対する同じ側に退避させることを特徴とする絞り装置。
【請求項５】
請求項４に記載の絞り装置であって、
前記２枚の光学フィルタは、共に前記絞り基板上に設けられた１つの支軸に回動自在に支持されることで、前記絞り羽根と平行な面内にてそれぞれ独立にスライド自在に設けられ、
前記各光学フィルタには、前記フィルタ駆動手段の駆動ピンの係合する長孔がそれぞれ設けられ、
前記各光学フィルタの長孔は、前記フィルタ駆動手段の駆動ピンが第１位置から第２位置に変位したとき、一方の光学フィルタを光路上から退避位置へ移動させると共に他方の光学フィルタを退避位置から光路上に移動させ、且つ、前記フィルタ駆動手段の駆動ピンが第２位置から第１位置に変位したとき、他方の光学フィルタを光路上から退避位置へ移動させると共に一方の光学フィルタを退避位置から光路上へ移動させるように形成されていることを特徴とする絞り装置。
【請求項６】
請求項４に記載の絞り装置であって、
前記２枚の光学フィルタは、前記絞り基板上に設けられた２つの支軸にそれぞれに回動自在に支持されることで、前記絞り羽根と平行な面内にて各々独立にスライド自在に設けられ、
前記２枚の光学フィルタのうちの一方の光学フィルタを支持する支軸には、連動部材が回動自在に支持され、
前記一方の光学フィルタ及び前記連動部材の一端には、前記フィルタ駆動手段の駆動ピンの係合する長孔がそれぞれ設けられ、
他方の光学フィルタには、前記フィルタ駆動手段の駆動ピンの動きに応じて回動する前記連動部材の駆動ピンの係合する長孔が形成され、
前記一方の光学フィルタの長孔は、前記フィルタ駆動手段の駆動ピンが第１位置から第２位置に変位したとき、一方の光学フィルタを光路上から退避位置へ移動させ、且つ、前記フィルタ駆動手段の駆動ピンが第２位置から第１位置に変位したとき、一方の光学フィルタを退避位置から光路上へ移動させるように形成され、
前記連動部材の長孔は、前記フィルタ駆動手段の駆動ピンが第１位置から第２位置に変位したとき、連動部材を第１位置から第２位置へ移動させ、且つ、前記フィルタ駆動手段の駆動ピンが第２位置から第１位置に変位したとき、連動部材を第２位置から第１位置へ移動させるように形成され、
前記他方の光学フィルタの長孔は、前記連動部材の駆動ピンが第１位置から第２位置に変位したとき、他方の光学フィルタを退避位置から光路上へ移動させ、前記連動部材の駆動ピンが第２位置から第１位置に変位したとき、他方の光学フィルタを光路上から退避位置へ移動させるように形成されていることを特徴とする絞り装置。
【請求項７】
請求項２または３に記載の絞り装置であって、
前記フィルタ駆動手段は、前記２枚の光学フィルタを光路上から選択的に取り除いて退避させるとき、２枚の光学フィルタを光路を挟んだ反対側に退避させるものであり、
前記２枚の光学フィルタは、共に前記絞り基板上に設けられた１つの支軸に回動自在に支持されることで、前記絞り羽根と平行な面内にて回転スライド自在に設けられ、
各光学フィルタには、前記フィルタ駆動手段の駆動ピンの係合する長孔がそれぞれ設けられ、
前記各光学フィルタの長孔は、前記フィルタ駆動手段の駆動ピンが第１位置から第２位置に変位したとき、一方の光学フィルタを光路上から退避位置へ移動させると共に他方の光学フィルタを退避位置から光路上に移動させ、且つ、前記フィルタ駆動手段の駆動ピンが第２位置から第１位置に変位したとき、他方の光学フィルタを光路上から退避位置へ移動させると共に一方の光学フィルタを退避位置から光路上へ移動させるように形成されていることを特徴とする絞り装置。
【請求項８】
請求項７に記載の絞り装置であって、
前記２枚の光学フィルタの少なくとも一方の光学フィルタに、他方の光学フィルタを積層するための透孔付きの枠部が形成されていることを特徴とする絞り装置。
【請求項９】
請求項５〜８のいずれかに記載の絞り装置であって、
前記フィルタ駆動手段は、フィルタ駆動指令が解除された状態で、フィルタ駆動手段の駆動ピンが第１位置と第２位置の中間位置よりも第１位置に近い位置にあるとき、駆動ピンを第１位置に磁力によって保持し、駆動ピンが第１位置と第２位置の中間位置よりも第２位置に近い位置にあるとき、駆動ピンを第２位置に磁力によって保持するフィルタ保持手段を備えていることを特徴とする絞り装置。
【請求項１０】
請求項９記載の絞り装置であって、
前記フィルタ保持手段が、前記光学フィルタを駆動する揺動式モータのロータに設けられた永久磁石と、前記駆動ピンを前記第１位置と第２位置の中間位置に操作したとき前記永久磁石の互いに隣接するＮ極とＳ極から等距離の位置に配置され、且つ、前記Ｎ極またはＳ極との間に吸引力を発生しそれによりロータに回転付勢力を与える磁性片と、を有することを特徴とする絞り装置。
【請求項１１】
請求項１〜１０のいずれかに記載の絞り装置であって、
前記絞り羽根が互いに積層した状態で２枚設けられており、それら２枚の絞り羽根の間に、前記薄板状に形成した光学フィルタを配置したことを特徴とする絞り装置。
【請求項１２】
請求項１〜１１のいずれかに記載の絞り装置であって、
前記絞り駆動手段とフィルタ駆動手段とが共に、前記絞り基板上において前記光路に対して同じ側に配置されていることを特徴とする絞り装置。
【請求項１３】
請求項１〜１２のいずれかに記載の絞り装置であって、
前記絞り羽根の絞り開口を形成する透孔部に、前記光学フィルタとは別のＮＤフィルタが設けられており、このＮＤフィルタが、赤外領域の透過率が可視領域の透過率とほぼ同等の分光透過率特性を有するものであることを特徴とする絞り装置。
【発明の詳細な説明】
【技術分野】
【０００１】
本発明は、赤外カットフィルタなどの光学フィルタが光路上に対して抜き差し自在に搭載された光学的な絞り装置に係り、特に、ＣＣＴＶ（監視カメラシステム）用レンズ等の撮影装置に組み付けられる絞り装置に関するものである。
【背景技術】
【０００２】
昼夜監視カメラシステムとして、カメラボデイのカラー撮像素子（ＣＣＤ又はＣＭＯＳ等）上に、昼間は可視光領域の光を結像させてカラー撮影を行い、夜間は可視光領域の光に加えて近赤外領域の光を結像させてモノクロ撮影を行って、ＴＶモニタ上に監視像を映し出すシステムが知られている（例えば、特許文献１参照）。
【０００３】
このシステムは、昼間の撮影時には、撮像素子の前方（カメラボデイ内またはレンズ鏡筒内）に赤外カットフィルタを位置させて、可視光領域の光のみに基づいてカラー撮影を行い、また夜間の撮影時には、同赤外カットフィルタを撮像素子の前方から取り除き、赤外波長域から可視波長域にわたる帯域の光に基づいてモノクロ撮影を行う。
【０００４】
図１２（ａ）、（ｂ）は、赤外カットフィルタをカメラ本体内に備える従来型のＣＣＴＶカメラの構成を示す図である。
【０００５】
このＣＣＴＶカメラは、カメラ本体１００Ａと、その前方に取り付けられたレンズ鏡筒２００Ａとを有する。カメラ本体１００Ａの内部には、撮像素子１３０が設けられると共に、赤外カットフィルタ１１０が設けられている。また、レンズ鏡筒２００Ａの内部には、絞り２１０が設けられている。
【０００６】
カメラ本体１００Ａ内の赤外カットフィルタ１１０は、カメラ本体１００Ａ内に設けられたモータ等のフィルタ駆動用アクチュエータ２３０により駆動され、撮像素子１３０の前方の光路Ｌ上に挿入されたり光路Ｌ上から取り除かれたりする。図１２（ａ）は赤外カットフィルタ１１０が光路Ｌ上に挿入された状態、（ｂ）は赤外カットフィルタ１１０が光路Ｌ上から取り除かれた状態をそれぞれ示している。一方、レンズ鏡筒２００Ａ内の絞り２１０は、レンズ鏡筒２００Ａ内に設けられたガルバノメータ等の絞り駆動用アクチュエータ２２０により駆動され、その絞り開口の大きさを調節する。
【０００７】
図１２の（ａ）の状態では、赤外カットフィルタ１１０が光路Ｌ上に挿入されているので、レンズ鏡筒２００Ａに入射した光は、絞り２１０を介してカメラ本体１００Ａに入射し、赤外カットフィルタ１１０を透過して撮像素子１３０に達し、被写体像として撮像素子１３０上に投影される。一方、（ｂ）の状態では、赤外カットフィルタ１１０が光路Ｌ上から取り除かれているので、レンズ鏡筒２００Ａに入射した光は、絞り２１０を介してカメラ本体１００Ａに入射し、赤外カットフィルタ１１０を介することなく、撮像素子１３０に直接達し、被写体像として投影される。
【０００８】
また、図１３（ａ）、（ｂ）は、赤外カットフィルタをレンズ鏡筒内に備える別の従来型のＣＣＴＶカメラの構成を示す図である。
【０００９】
このＣＣＴＶカメラは、カメラ本体１００Ｂと、その前方に取り付けられたレンズ鏡筒２００Ｂとからなり、赤外カットフィルタ１１０及びフィルタ駆動用アクチュエータ２３０は、図１２の従来例と違って、カメラ本体１００Ｂの内部ではなく、レンズ鏡筒２００Ｂ内部に設けられている。撮像素子１３０と絞り２１０については、図１２の例と同じである。
【００１０】
また、このＣＣＴＶカメラでは、赤外カットフィルタ１１０に隣接させて、ダミーフィルタ１１１が設けられている。このダミーフィルタ１１１は、赤外カットフィルタ１１０とほぼ同じ厚さの透光性平行平面板よりなるもので、赤外カットフィルタ１１０が光路Ｌ上にある時とない時とでの光路長の差を補償し、光路長の差による撮像素子１３０に対するピントずれを防止するためのものである。
【００１１】
従って、赤外カットフィルタ１１０とダミーフィルタ１１１は、図示略の同じホルダに取り付けられており、ホルダをフィルタ駆動用アクチュエータ２３０で駆動することにより、赤外カットフィルタ１１０またはダミーフィルタ１１１のいずれかが光路Ｌ上に配置されるようになっている。
【００１２】
また、従来の赤外カットフィルタは比較的厚みのあるもの（０．５ｍｍ以上）であるため、特許文献１に記載のＣＣＴＶカメラでは、絞り基板（図示略）の一方の板面側に絞り羽根を配置した場合、絞り基板の他方の板面側に赤外カットフィルタを配置することにより、絞り部分の構成の複雑化を避けながら、赤外カットフィルタを一体に備えた絞り装置を構成している。
【特許文献１】特開２００２−１８９２３８号公報
【発明の開示】
【発明が解決しようとする課題】
【００１３】
ところで、図１２の従来のＣＣＴＶカメラでは、赤外カットフィルタ１１０をカメラ本体１００Ａの内部に配置しているが、最近のＣＣＴＶカメラはカメラ本体１００Ａがだんだん小型化してきているため、赤外カットフィルタ１１０及びその駆動機構（アクチュエータ２３０）をカメラ本体１００Ａ内に設けることが困難になってきた。
【００１４】
そこで、図１３のようにレンズ鏡筒２００Ｂ内に絞り２３０と共に赤外カットフィルタ１１０を設けることが有望となってきた。特に、特許文献１に記載されているように、絞り装置に赤外カットフィルタとその駆動機構を一体に組み込むことが行われるようになってきた。
【００１５】
しかし、特許文献１に記載れている、従来の赤外カットフィルタを一体に組み込んだ構成の絞り装置では、赤外カットフィルタとして比較的厚みのあるものを使用している関係から、絞り羽根や赤外カットフィルタの作動性などを考慮した場合、赤外カットフィルタと絞り羽根を、絞り基板の表裏面にそれぞれに配置する構成を採らざるを得ず、そのために、絞り装置のコンパクト化に限界が生じていた。また、ピント補正を考慮した場合、赤外カットフィルタ以外に光路長を揃えるためのダミーフィルタも使用しなくてはならず、それらをコンパクトに収納しつつ、小型・軽量化を図りたいという要望が強くなってきた。
【００１６】
本発明は、上記事情を考慮し、光路上に対して抜き差し自在な光学フィルタを一体に備えながら小型・軽量化を図ることができ、それにより、例えばＣＣＴＶカメラのレンズ鏡筒に簡単に取り付けることのできる絞り装置を提供することを目的とする。
【課題を解決するための手段】
【００１７】
請求項１の発明の絞り装置は、光路を形成する開口部を有した絞り基板と、この絞り基板の一方の板面に配置され、該板面に沿ってスライドすることで前記光路を絞り調節する絞り羽根と、前記光路を絞り調節するために前記絞り羽根を駆動する絞り駆動手段と、前記光路上に抜き差し自在に設けられた２種類の光学フィルタと、これら２種類の光学フィルタを前記光路上に選択的に抜き差しするフィルタ駆動手段と、を備え、前記２種類の光学フィルタを薄膜状に形成して前記絞り基板の一方の板面側に配置し、前記絞り羽根に沿ってスライド自在に設けたことを特徴とする。
【００１８】
請求項２の発明は、請求項１に記載の絞り装置であって、前記２種類の光学フィルタとして、光学特性の異なる２枚の光学フィルタを備えており、前記フィルタ駆動手段は、前記２枚の光学フィルタの一方を光路上に挿入したとき他方を光路上から取り除き、他方を光路上に挿入したとき一方を光路上から取り除くように構成されていることを特徴とする。
【００１９】
請求項３の発明は、請求項２に記載の絞り装置であって、前記２枚の光学フィルタのうち、一方が赤外領域の光を遮断する赤外カットフィルタ、他方が前記赤外カットフィルタの有無による光路長差を補償するダミーフィルタであることを特徴とする。
【００２０】
請求項４の発明は、請求項２または３に記載の絞り装置であって、前記フィルタ駆動手段は、前記２枚の光学フィルタを光路上から選択的に取り除いて退避させるとき、２枚の光学フィルタを光路に対する同じ側に退避させることを特徴とする。
【００２１】
請求項５の発明は、請求項４に記載の絞り装置であって、前記２枚の光学フィルタは、共に前記絞り基板上に設けられた１つの支軸に回動自在に支持されることで、前記絞り羽根と平行な面内にてそれぞれ独立にスライド自在に設けられ、前記各光学フィルタには、前記フィルタ駆動手段の駆動ピンの係合する長孔がそれぞれ設けられ、前記各光学フィルタの長孔は、前記フィルタ駆動手段の駆動ピンが第１位置から第２位置に変位したとき、一方の光学フィルタを光路上から退避位置へ移動させると共に他方の光学フィルタを退避位置から光路上に移動させ、且つ、前記フィルタ駆動手段の駆動ピンが第２位置から第１位置に変位したとき、他方の光学フィルタを光路上から退避位置へ移動させると共に一方の光学フィルタを退避位置から光路上へ移動させるように形成されていることを特徴とする。
【００２２】
請求項６の発明は、請求項４に記載の絞り装置であって、前記２枚の光学フィルタは、前記絞り基板上に設けられた２つの支軸にそれぞれに回動自在に支持されることで、前記絞り羽根と平行な面内にて各々独立にスライド自在に設けられ、前記２枚の光学フィルタのうちの一方の光学フィルタを支持する支軸には、連動部材が回動自在に支持され、前記一方の光学フィルタ及び前記連動部材の一端には、前記フィルタ駆動手段の駆動ピンの係合する長孔がそれぞれ設けられ、他方の光学フィルタには、前記フィルタ駆動手段の駆動ピンの動きに応じて回動する前記連動部材の駆動ピンの係合する長孔が形成され、前記一方の光学フィルタの長孔は、前記フィルタ駆動手段の駆動ピンが第１位置から第２位置に変位したとき、一方の光学フィルタを光路上から退避位置へ移動させ、且つ、前記フィルタ駆動手段の駆動ピンが第２位置から第１位置に変位したとき、一方の光学フィルタを退避位置から光路上へ移動させるように形成され、前記連動部材の長孔は、前記フィルタ駆動手段の駆動ピンが第１位置から第２位置に変位したとき、連動部材を第１位置から第２位置へ移動させ、且つ、前記フィルタ駆動手段の駆動ピンが第２位置から第１位置に変位したとき、連動部材を第２位置から第１位置へ移動させるように形成され、前記他方の光学フィルタの長孔は、前記連動部材の駆動ピンが第１位置から第２位置に変位したとき、他方の光学フィルタを退避位置から光路上へ移動させ、前記連動部材の駆動ピンが第２位置から第１位置に変位したとき、他方の光学フィルタを光路上から退避位置へ移動させるように形成されていることを特徴とする。
【００２３】
請求項７の発明は、請求項２または３に記載の絞り装置であって、前記フィルタ駆動手段は、前記２枚の光学フィルタを光路上から選択的に取り除いて退避させるとき、２枚の光学フィルタを光路を挟んだ反対側に退避させるものであり、前記２枚の光学フィルタは、共に前記絞り基板上に設けられた１つの支軸に回動自在に支持されることで、前記絞り羽根と平行な面内にて回転スライド自在に設けられ、各光学フィルタには、前記フィルタ駆動手段の駆動ピンの係合する長孔がそれぞれ設けられ、前記各光学フィルタの長孔は、前記フィルタ駆動手段の駆動ピンが第１位置から第２位置に変位したとき、一方の光学フィルタを光路上から退避位置へ移動させると共に他方の光学フィルタを退避位置から光路上に移動させ、且つ、前記フィルタ駆動手段の駆動ピンが第２位置から第１位置に変位したとき、他方の光学フィルタを光路上から退避位置へ移動させると共に一方の光学フィルタを退避位置から光路上へ移動させるように形成されていることを特徴とする。
【００２４】
請求項８の発明は、請求項７に記載の絞り装置であって、前記２枚の光学フィルタの少なくとも一方の光学フィルタに、他方の光学フィルタを積層するための透孔付きの枠部が形成されていることを特徴とする。
【００２５】
請求項９の発明は、請求項５〜８のいずれかに記載の絞り装置であって、前記フィルタ駆動手段は、フィルタ駆動指令が解除された状態で、フィルタ駆動手段の駆動ピンが第１位置と第２位置の中間位置よりも第１位置に近い位置にあるとき、駆動ピンを第１位置に磁力によって保持し、駆動ピンが第１位置と第２位置の中間位置よりも第２位置に近い位置にあるとき、駆動ピンを第２位置に磁力によって保持するフィルタ保持手段を備えていることを特徴とする。
【００２６】
請求項１０の発明は、請求項９記載の絞り装置であって、前記フィルタ保持手段が、前記光学フィルタを駆動する揺動式モータのロータに設けられた永久磁石と、前記駆動ピンを前記第１位置と第２位置の中間位置に操作したとき前記永久磁石の互いに隣接するＮ極とＳ極から等距離の位置に配置され、且つ、前記Ｎ極またはＳ極との間に吸引力を発生しそれによりロータに回転付勢力を与える磁性片と、を有することを特徴とする。
【００２７】
請求項１１の発明は、請求項１〜１０のいずれかに記載の絞り装置であって、前記絞り羽根が互いに積層した状態で２枚設けられており、それら２枚の絞り羽根の間に、前記薄板状に形成した光学フィルタを配置したことを特徴とする。
【００２８】
請求項１２の発明は、請求項１〜１１のいずれかに記載の絞り装置であって、前記絞り駆動手段とフィルタ駆動手段とが共に、前記絞り基板上において前記光路に対して同じ側に配置されていることを特徴とする。
【００２９】
請求項１３の発明は、請求項１〜１２のいずれかに記載の絞り装置であって、前記絞り羽根の絞り開口を形成する透孔部に、前記光学フィルタとは別のＮＤフィルタが設けられており、このＮＤフィルタが、赤外領域の透過率が可視領域の透過率とほぼ同等の分光透過率特性を有するものであることを特徴とする。
【発明の効果】
【００３０】
請求項１の発明の絞り装置では、２種類の光学フィルタを薄膜状に形成して絞り基板の一方の板面側に絞り羽根と一緒に配置し、絞り羽根に沿ってスライド自在に設けているので、絞り基板の表裏面の両方にそれぞれ絞り羽根と光学フィルタを配置した従来例と比べて、構成を単純化することができる。また、光学フィルタの全体を薄膜状にすることにより、絞り羽根間の隙間や絞り羽根と絞り基板の隙間などの狭いスペースに配置することができ、しかも、絞り羽根の作動に支障を与えることなく、自身のスライド性能も確保しながら、光学フィルタを無理なく絞り装置の中に組み込むことができる。
【００３１】
従って、２種類の光学フィルタを光路上に対して抜き差し自在に一体に組み込みながらも、絞り装置のコンパクト化を図ることができて、レンズ鏡筒等に組み込む際の組み付け性の向上が図れると共に、レンズ鏡筒等の軽量・小型化に貢献することができる。特に２種類の光学フィルタを光路上に選択的に抜き差し可能としているので、光路上にどの光学フィルタを差し込むかによって、異なる光学特性を選ぶことができる。なお、請求項１の発明の絞り装置には、２種類の光学フィルタを１枚のフィルタ基板上に形成する場合、また、２種類の光学フィルタを１つのホルダ上に取り付ける場合も含まれている。
【００３２】
請求項２の発明によれば、２枚の光学フィルタを択一的に光路上に抜き差しできるようにしているので、各光学フィルタの異なる光学特性を任意に選ぶことができる。また、２枚の独立した光学フィルタを使用するので、２種類の光学フィルタの組み合わせを簡単に替えることができるし、１枚の光学フィルタを、必要に応じてオプションで設ける場合にも容易に対応することができる。
【００３３】
請求項３の発明によれば、一方の光学フィルタを、可視光領域の光を透過し赤外（近赤外）領域の光を遮断する赤外カットフィルタとしたから、ＣＣＴＶカメラ用の絞り装置に適用するのに好適であり、夜間の撮影時は、赤外カットフィルタを光路上から取り除くことで、赤外領域の光を透過させて撮影することができ、昼間の撮影時は、赤外カットフィルタを光路上に挿入することで、赤外領域の光をカットして撮影することができる。また、赤外カットフィルタを光路上から取り除いたとき、光路長差を補償するためのダミーフィルタを光路上に差し込むので、赤外カットフィルタの有無によるピントずれを防止することができる。
【００３４】
請求項４の発明によれば、２枚の光学フィルタを光路上から選択的に取り除いて退避させるとき、２枚の光学フィルタを光路に対する同じ側に退避させるようにしたので、２枚の光学フィルタの退避場所を別々に確保しておく必要がなく、余分な退避場所が不要である分、装置のコンパクト化を図ることができる。
【００３５】
前記光学フィルタを絞り羽根に沿ってスライドさせる方式は、直線移動式でも回動式でもよいが、請求項５〜７の発明の絞り装置では、絞り基板上に設けた支軸を中心とした回動式にしているので、光学フィルタの駆動系を省スペース型の単純な構造とすることができる。また、回動式にしたことで、絞り羽根間の小さな隙間において無理なく光学フィルタユニットを駆動させることができる。
【００３６】
特に、請求項５の発明では、１つの支軸によって２枚の光学フィルタを回動自在に支持し、各光学フィルタに設けた長孔にフィルタ駆動手段の駆動ピンを係合させることにより、各光学フィルタを交互に光路上に抜き差しできるようにしたので、最小の部品点数による簡単な構造で、光学フィルタの切り替えを行うことができる。
【００３７】
また、請求項６の発明では、２つの支軸によって２枚の光学フィルタをそれぞれ回動自在に支持し、連動部材を介装することによって、一方の光学フィルタの動作に連動して他方の光学フィルタが動作するようにしたので、省スペースを実現しながら、光学フィルタの切り替えを行うことができる。
【００３８】
また、請求項７の発明では、光路上に抜き差しする際に２枚の光学フィルタを同じ方向に動かすようにしたので、動作スペースを確保する上では不利であるものの、同じ方向の動きであるから、抵抗の少ないスムーズな動きを実現することができる。特に、請求項８の発明のように、少なくとも一方の光学フィルタに、他方の光学フィルタを積層するための透孔付きの枠部を形成した場合は、２枚の光学フィルタの積層状態を安定させることができる。
【００３９】
請求項９の発明によれば、磁力によって駆動ピンを第１位置または第２位置のいずれかに保持するようにしたので、光学フィルタの抜き差し動作を光学フィルタに伝達した時点で、フィルタ駆動手段への通電を止めることができ、フィルタ駆動手段の電力消費を低減することができる。
【００４０】
請求項１０の発明によれば、前記の磁力を、フィルタ駆動手段を構成するモータのロータの永久磁石を利用して得るので、無駄の構成を極力省き低コストに構成できる。
【００４１】
請求項１１の発明によれば、２枚の絞り羽根の隙間に光学フィルタを配置したので、光学フィルタを配置するための特別なスペースが不要であり、コンパクト化が図れる。また、２枚の絞り羽根を案内として光学フィルタをスライドさせることができるので、光学フィルタの作動の円滑化を図ることもできる。
【００４２】
請求項１２の発明によれば、比較的に容積の大きな部品である絞り駆動手段とフィルタ駆動手段とを、光路に対して同じ側に設けているので、つまり、絞り基板の厚み方向に大きめの寸法を持つ部品（絞り駆動手段及びフィルタ駆動手段）を、光路を挟んだ両側にそれぞれ配置するのではなく、絞り基板の片側にまとめて配置しているので、それと反対側の部分を薄くすることができる。従って、絞り装置をレンズ鏡筒に組み付ける場合に、どちらかの駆動手段が邪魔になるようなことなく、その薄く保った部分を先にレンズ鏡筒に横から差し込みながら、絞り装置をレンズ鏡筒に無理なく組み付けることができ、レンズ鏡筒等への取り付けが簡単にできるようになる
【００４３】
請求項１３の発明によれば、ＮＤフィルタによって、例えば、ＣＣＴＶカメラに適用した場合の夜間撮影時の赤外光の透過量を可視領域の光と同じ程度に減少させることができるため、赤外光が過剰に撮影されるのを防ぐことができる。従って、赤外光の強い被写体部分が明るくなり過ぎるようなことがなく、見やすい撮像画像を得ることができる。
【発明を実施するための最良の形態】
【００４４】
以下、本発明の実施形態を図面に基づいて説明する。
＜第１実施形態＞
図１は第１実施形態の絞り装置の全体構成を示す分解斜視図、図２は同装置において光学フィルタが第１の状態にあるときの要部平面図、図３は同装置において光学フィルタが第２の状態にあるときの要部平面図である。
【００４５】
この絞り装置１は、樹脂成形品よりなる長方形板状の絞り基板１０と、この絞り基板１０の上面（一方の板面上）に互いに重ね合わせた状態でスライド自在に組み付けられる一対の絞り羽根１２、１３と、これら２枚の絞り羽根１２、１３の間の僅かな隙間に、互いに重ね合わせた状態でそれぞれ回転スライド可能に配置された薄膜状の２枚の光学フィルタ１５、１６と、絞り基板１０の上面に絞り羽根１２、１３及び光学フィルタ１５、１６を組み付けた上で、絞り基板１０上に絞り羽根１２、１３を覆うように被せられる羽根カバー１４と、絞り基板１０の下面側に組み付けられる絞り駆動装置（絞り駆動手段）２０及びフィルタ駆動装置（フィルタ駆動手段）３０と、を有する。
【００４６】
絞り基板１０及び羽根カバー１４には、光路を形成するための開口部１０ａ、１４ａが形成され、絞り羽根１２、１３には、絞り開口を形成するための切欠状または孔状の透孔部１２ｅ、１３ｅが設けられている。そして、絞り基板１０上で絞り羽根１２、１３を矢印ｆ１、ｆ２方向に直線スライドさせることにより、前記の光路を絞り調節することができるようになっている。絞り駆動装置２０は、図示略の駆動レバーに設けた駆動ピン２１ａ、２１ｂを介して絞り羽根１２、１３をスライドさせるもので、モータを中心に構成されている。
【００４７】
光学フィルタ１５、１６は、それぞれ１枚の薄膜シート（約０．２５ｍｍ前後の厚さのシート）を所定形状にカットしたものであり、第１の光学フィルタ１５としては、ここでは赤外線領域（近赤外線領域を含む）の光を遮断する赤外カットフィルタが使用され、また第２の光学フィルタ１６としては、ここでは赤外カットフィルタの有無による光路長差を補償するダミーフィルタが使用されている。第１、第２の光学フィルタ１５、１６が赤外カットフィルタであるかダミーフィルタであるかは逆であってもよい。
【００４８】
フィルタ駆動装置３０は、駆動レバー３１を介して光学フィルタ１５、１６を回転スライドさせることにより、光学フィルタ１５、１６を光路上に交互に挿入したり光路上から取り除いたりするもの（つまり、２枚の光学フィルタ１５、１６の一方を光路上に挿入したとき他方を光路上から取り除き、他方を光路上に挿入したとき一方を光路上から取り除くもの）であり、モータを中心に構成されている。ここでは、フィルタ駆動装置３０は、２枚の光学フィルタ１５、１６を光路上から選択的に取り除いて退避させるとき、２枚の光学フィルタ１５、１６を光路に対する同じ側に退避させるようになっている。従って、光学フィルタ１５、１６を反対方向に回転スライドさせるようになっている。
【００４９】
２枚の光学フィルタ１５、１６は、２枚の絞り羽根１２、１３の僅かな隙間に挿入されており、絞り羽根１２、１３に沿ってスライドできるように設けられている。このように２枚の絞り羽根１２、１３の間に挟まれることにより、光学フィルタ１５、１６は、絞り羽根１２、１３の表面を案内面として滑らかにスライドすることができ、薄膜状でありながら安定した抜き差し動作が可能となっている。
【００５０】
また、絞り羽根１２、１３の絞り開口を形成する透孔部１２ｅ、１３ｅには、赤外カットフィルタやダミーフィルタよりなる光学フィルタ１５、１６とは別のＮＤフィルタ１２ｆ、１３ｆが貼り付けられている。これらＮＤフィルタ１２ｆ、１３ｆは、赤外領域の光の透過率が可視領域の光の透過率とほぼ同等の分光透過率特性を有するように作られている。
【００５１】
絞り基板１０の上面の周縁部の近傍には、絞り羽根１２、１３と係合する先端フック付きの４つのガイドピン１１ａ、１１ｂ、１１ｃ、１１ｄが複数設けられている。また、絞り羽根１２、１３の側縁部の近傍には、各側縁部と平行に長溝１２ａ、１２ｂ、１２ｃ、１３ａ、１３ｂ、１３ｃが設けられている。そして、これら長溝１２ａ、１２ｂ、１２ｃ、１３ａ、１３ｂ、１３ｃをガイドピン１１ａ、１１ｂ、１１ｃ、１１ｄに嵌めることで、絞り羽根１２、１３が絞り基板１０の上面に矢印ｆ１、ｆ２方向に直線スライド自在に保持されている。なお、ガイドピン１１ａ、１１ｂ、１１ｃ、１１ｄの先端フック部分が、絞り羽根１２、１３の上方への抜け防止を果たす。
【００５２】
絞り羽根１２、１３を駆動するための要素としては、まず、各絞り羽根１２、１３の長手方向の端部に、それぞれ絞り羽根１２、１３のスライド方向と直交する横溝１２ｄ、１３ｄが設けられている。一方、絞り基板１０の下面側に取り付けられた絞り駆動装置２０には、図示しない駆動レバーが設けられている。この駆動レバーは、両端に絞り基板１０の上面側に突き出た駆動ピン２１ａ、２１ｂを有するもので、その中心部が絞り駆動装置２０のモータ軸（図示略）に結合されている。各駆動ピン２１ａ、２１ｂには、それぞれ絞り羽根１２、１３の長手方向の端部に設けた横溝１２ｄ、１３ｄが係合しており、これにより、絞り駆動装置２０のモータを回転駆動すると、駆動ピン２１ａ、２１ｂの回動により２枚の絞り羽根１２、１３が直線スライドして、光路の絞り調節が行われるようになっている。
【００５３】
次に光学フィルタ１５、１６をスライド動作させるための構造について述べる。
各光学フィルタ１５、１６は、フィルタ本体部（実際にフィルタとして光路上に位置する部分）１５ａ、１６ａから外方に延出するレバー１５ｂ、１６ｂを有している。レバー部１５ｂ、１６ｂの中間部には透孔１５ｃ、１６ｃが設けられ、レバー部１５ｂ、１６ｂの先端側には長孔１５ｄ、１６ｄが設けられている。
【００５４】
絞り基板１０の一方の側縁部には、フィルタ駆動装置３０を取り付けるためのブラケット１０ｂが一体に突設されており、そのブラケット１０ｂの下面側に、フィルタ駆動装置３０の主要素であるモータ（特に符号を付さず）が取り付けられている。前記ブラケット１０ａの近傍には、光学フィルタ１５、１６を支持するための１つの支軸１０ｃが突設され、その支軸１０ｃの近傍に、フィルタ駆動装置３０の駆動レバー３１の先端に設けた駆動ピン３１ａが突出している。
【００５５】
２枚の光学フィルタ１５、１６は、レバー部１５ｂ、１６ｂに設けた透孔１５ｃ、１６ｃを前記支軸１０ｃに嵌めることで、この支軸１０ｃを中心に絞り羽根１２、１３の板面に沿って回動可能に支持されている。また、レバー部１５ｂ、１６ｂの先端側に設けた長孔１５ｄ、１６ｄに、フィルタ駆動装置３０の駆動ピン３１ａが係合しており、これにより、フィルタ駆動装置３０を駆動することにより、駆動ピン３１ａの回動によって、光学フィルタ１５、１６が支軸１０ｃを中心に回動し、それにより、光学フィルタ１５、１６が光路上に交互に挿入されたり光路上から取り除かれたりする（光学フィルタ１５、１６が光路上に対して抜き差しされる）ようになっている。
【００５６】
この場合、各光学フィルタ１５、１６の長孔１５ｄ、１６ｄは、フィルタ駆動装置３０の駆動ピン３１ａが、図２に示すように、第１位置（二点鎖線で示す位置）から第２位置（実線で示す位置）に変位したとき、第１の光学フィルタ（赤外カットフィルタ）１５を光路上から退避位置へ移動させると共に第２の光学フィルタ（ダミーフィルタ）１６を退避位置から光路上に移動させ、且つ、フィルタ駆動装置３０の駆動ピン３１ａが、図３に示すように、第２位置（二点鎖線で示す位置）から第１位置（実線で示す位置）に変位したとき、第２の光学フィルタ（ダミーフィルタ）１６を光路上から退避位置へ移動させると共に第１の光学フィルタ（赤外カットフィルタ）１５を退避位置から光路上へ移動させるように形成されている。
【００５７】
また、絞り駆動装置２０とフィルタ駆動装置３０は、共に、絞り基板１０上において光路に対して同じ側に配置されている。つまり、絞り基板１０の長手方向の一端側にまとめて、絞り駆動装置２０とフィルタ駆動装置３０とが配置されている。従って、駆動装置２０、３０が設けられていない他端側は、寸法的に薄い板状体のままに保たれている。
【００５８】
次に、光学フィルタ１５、１６を回動させて、光学フィルタ１５、１６を光路上に対して抜き差し駆動するフィルタ駆動装置３０の構成について詳しく述べる。このフィルタ駆動装置３０は、揺動式モータへの通電を停止しても、駆動ピン３１ａを第１位置または第２位置に確実に保持し、それにより、光学フィルタ１５、１６を光路上の位置（フィルタ使用位置）、または、光路上から外れた退避位置（フィルタ不使用位置）のいずれかに位置決め保持するフィルタ保持機能（フィルタ保持手段）を備えている。
【００５９】
このフィルタ保持機能とは、光学フィルタ１５、１６が光路上の位置（フィルタ使用位置）と光路上から外れた退避位置（フィルタ不使用位置）との中間位置よりもどちらかに偏った位置にあるときに、光学フィルタ１５、１６を磁力によってその偏った位置側に敢えて付勢することで、結果的にどちらかの一方の位置（移動限）に保持する機能である。
【００６０】
このフィルタ保持機能（フィルタ保持手段）は、本実施形態の場合、光学フィルタ１５、１６を駆動するモータのロータに設けられた永久磁石と、この永久磁石のＮ極またはＳ極との間に吸引力を発生しそれによりロータに回転付勢力を与える磁性片とで達成（構成）されている。
【００６１】
その点について図１０を参照しながら詳しく説明する。
フィルタ駆動装置３０の主体をなすモータは、図１０（ａ）に示すように、ロータ軸３３を有するロータ３２と、ロータ３２を回転駆動するためにロータ３２の周囲に配置されたコイルボビン３５と、コイルボビン３５に巻回されたコイル３６と、コイルボビン３５に外嵌された円筒状のヨーク（図示せず）等から構成されている。ここでは、ヨーク、コイルボビン３５及びコイル３６でステータが構成されている。
【００６２】
ロータ３２は、直径方向両端がＮ極とＳ極に分極された円筒状の永久磁石で構成されている。ロータ軸３３は樹脂製であり、外部に突出した先端部に、前記光学フィルタ１５、１６と係合する駆動レバー３１の基端部が結合されている。また、ステータのヨーク（図示略）の内側とロータ３２の間には、軟磁性片３７が配置されている。この軟磁性片３７は、図１０（ａ）に示すように、駆動ピン３１ａが第１位置（例えば、第１の光学フィルタ１５を光路上に位置決めする位置）と第２位置（例えば、第１の光学フィルタ１５を退避位置に位置決めする位置）の中間位置にくるように駆動レバー３１を操作したとき、ロータ３２のＮ極とＳ極から略等距離となる位置に配置されており、ロータ３２のＮ極またはＳ極との間に吸引力を発生し、それにより、ロータ３２に回転付勢力を与える機能を果たしている。
【００６３】
図１０（ｂ）は、ロータ３２が矢印（イ）方向に振れた結果、駆動ピン３１ａが第２位置（例えば、第１の光学フィルタ１５が光路上から外れた位置）に到達したときのロータ３２の回転位置を示している。このときは、ロータ３２のＮ極が軟磁性体３７に接近するので、Ｎ極と軟磁性体３７との間に大きな磁気吸引力が発生し、その磁気吸引力によって、モータへの通電を停止しても、ロータ３２つまりは駆動ピン３１ａが第２位置に保持され、例えば、第１の光学フィルタ１５が光路上から外れた退避位置に保持されると共に、第２の光学フィルタ１６が光路上に保持される。
【００６４】
図１０（ｃ）は、ロータ３２が矢印（ロ）方向に振れた結果、駆動ピン３１ａが第１位置（例えば、第１の光学フィルタ１５が光路上の位置）に到達したときのロータ３２の回転位置を示している。このときは、ロータ３２のＳ極が軟磁性体３７に接近するので、Ｓ極と軟磁性体３７との間に大きな磁気吸引力が発生し、その磁気吸引力によって、モータへの通電を停止しても、ロータ３２つまりは駆動ピン３１ａが第１位置に保持され、例えば、第１の光学フィルタ１５が光路上に保持されると共に、第２の光学フィルタ１６が光路上から外れた退避位置に保持される。
【００６５】
従って、このように光学フィルタ１５、１６をいずれかの移動限（光路上または退避位置）に永久磁石の磁力によって保持することができ、その状態ではモータの電力が必要なくなるため、通電による発熱を無くすことができると共に、バッテリ電源の寿命を長くすることができる。特に、本実施形態の絞り装置１では、光学フィルタ１５、１６の位置決めに使用する磁力（つまり付勢力）を、ロータの永久磁石を利用して得るので、軟磁性片３７を所定位置に配置するだけの簡単な構成とすることができる。
【００６６】
次に、この絞り装置１を昼夜監視ＣＣＴＶカメラに適用した場合を想定して、その作用を説明する。
この絞り装置１においては、絞り駆動装置２０を駆動制御することによって、絞り羽根１２、１３に係合する駆動ピン２１ａ、２１ｂを回動させ、その回動によって絞り羽根１２、１３を直線スライドさせて、光路の絞り調節を行うことができる。最大絞りに近い位置では、絞り羽根１２、１３の透孔部１２ｅ、１３ｅに取り付けたＮＤフィルタ１２ｆ、１３ｆが光路上に位置することになるので、ＮＤフィルタの作用が撮影光に現れる。
【００６７】
一方、この絞り装置１においては、フィルタ駆動装置３０を駆動することによって、駆動レバー３１が回動するので、その回動によって光学フィルタ１５、１６を、支軸１０ｃを中心に回転スライドさせて、光路上に対して光学フィルタ１５、１６を抜き差しすることができる。
【００６８】
この場合の第１の光学フィルタ１５は赤外カットフィルタであるから、光路上に第１の光学フィルタ１５を位置決めさせることにより、撮影光の赤外領域をカットすることができる。また、ＮＤフィルタ１２ｆ、１３ｆによって、夜間撮影時の赤外光の透過量を可視領域の光と同じ程度に減少させることができるため、赤外光が過剰に撮影されるのを防ぐことができ、その結果、赤外光の強い被写体部分が明るくなり過ぎるようなことがなくなり、見やすい撮像画像を得ることができる。
【００６９】
また、赤外カットフィルタよりなる第１の光学フィルタ１５を光路上から取り除いたときには、それと交替で、光路長差を補償するためのダミーフィルタよりなる第２の光学フィルタ１６が光路上に差し込まれるので、赤外カットフィルタの有無によるピントずれを防止することができる。
【００７０】
このような作用が得られる本絞り装置１においては、２枚の光学フィルタ１５、１６を薄膜状に形成して、絞り基板１０の一方の板面（上面）側に絞り羽根１２、１３と一緒に配置し、絞り羽根１２、１３に沿ってスライド自在に設けているので、絞り装置１の構成を単純化することができる。
【００７１】
特に、２枚の絞り羽根１２、１３間の僅かな隙間に光学フィルタ１５、１６を配置しているので、光学フィルタ１５、１６のための余分なスペースが全く不要であり、絞り装置１の厚さ方向のコンパクト化が図れ、レンズ鏡筒などに組み込みやすくなると共に、レンズ鏡筒等の軽量・小型化に貢献することができる。また、２枚の絞り羽根１２、１３を案内として、光学フィルタ１５、１６をスライドさせることができることから、光学フィルタ１５、１６の作動の円滑化を図ることもできる。
【００７２】
また、光学フィルタ１５、１６のスライド方式を、絞り羽根１２、１３のように直線スライド式にせず、回動式にしているので、光学フィルタ１５、１６の駆動系を省スペース型の単純な構造とすることができ、絞り羽根１２、１３の駆動系との取り合いについて無理のない設計ができるようになる。
【００７３】
また、２枚の光学フィルタ１５、１６を光路上から選択的に取り除いて退避させるとき、２枚の光学フィルタ１５、１６を光路に対する同じ側に退避させるようにしているので、２枚の光学フィルタ１５、１６の退避場所を別々に確保しておく必要がなく、余分な退避場所が不要である分、省スペース化が可能であり、装置のコンパクト化を図ることができる。
【００７４】
特に本実施形態では、１つの支軸１０ｃによって２枚の光学フィルタ１５、１６を回動自在に支持し、各光学フィルタ１５、１６に設けた長孔１５ｄ、１６ｄにフィルタ駆動装置３０の駆動ピン３１ａを係合させることにより、各光学フィルタ１５、１６を交互に光路上に抜き差しできるようにしているので、最小の部品点数による簡単な構造で、光学フィルタ１５、１６の切り替えを行うことができる。
【００７５】
また、本絞り装置１では、絞り駆動装置２０とフィルタ駆動装置３０とを、光路に対して同じ側に設けているので、絞り装置１を例えばＣＣＴＶカメラのレンズ鏡筒に組み付ける場合に、どちらかの駆動装置２０、３０が組み付けの邪魔になるようなことなく、絞り装置１をレンズ鏡筒に無理なく組み付けることができるようになる。
【００７６】
図１１は絞り装置１のレンズ鏡筒２に対する取付例を示している。
レンズ鏡筒２の周壁には側孔２ａがあいており、この側孔２ａに、光軸方向と直角な方向から絞り装置１を差し込むことができるようになっている。側孔２ａの一端には取付座２ｂが設けられており、取付座２ｂの前面にネジ孔２ｃが設けられている。一方、絞り装置１の絞り基板１０には、固定する際に使用するための取付ブラケット１６が設けられており、取付ブラケット１６にネジ通し用の切欠１６ａと、レンズ鏡筒２側の取付座２ｂに対する当て面１６ｂが設けられている。
【００７７】
この絞り装置１は、絞り駆動装置２０とフィルタ駆動装置３０の両方を、光路に対する片側にまとめて配置しているので、駆動装置２０、３０の有る側と反対側は、厚さの薄い板状のままに保たれている。従って、この絞り装置１をレンズ鏡筒２に組み付ける場合は、レンズ鏡筒２の側孔２ａに絞り装置１の薄い側を差し込んで、取付ブラケット１６の当て面１６ｂをレンズ鏡筒２側の取付座２ａの前面に当接させ、その状態で取付ブラケット１６の切欠１６ａを通してネジ１７を取付座２ａのネジ孔２ｂに締め込むことで、絞り装置１をレンズ鏡筒２に取り付けることができる。従って、レンズ鏡筒２に対する組み付けが簡単にでき、作業性が良い。
【００７８】
次に他の実施形態について説明する。
なお、これから説明する他の実施形態の絞り装置において、図中同符号で示す要素は第１実施形態の絞り装置と同一の要素であるので、説明を省略する。
【００７９】
＜第２実施形態＞
図４は第２実施形態の絞り装置の全体構成を示す分解斜視図、図２は同装置において光学フィルタが第１の状態にあるときの要部平面図、図３は同装置において光学フィルタが第２の状態にあるときの要部平面図である。
【００８０】
この絞り装置１０１では、赤外カットフィルタ及びダミーフィルタである２枚の光学フィルタ１１５、１１６を、絞り基板１０上に突設した２つの支軸１０ｃ、１０ｄにそれぞれに回動自在に取り付けており、それらを駆動するために新たに連動部材１１７を追加した構成を採用している。それ以外の構成は、第１実施形態と全く同様である。この実施形態でも、２枚の光学フィルタ１１５、１１６を光路上から取り除いて退避させるとき、光路に対する同じ側に退避させるようになっている。
【００８１】
各光学フィルタ１１５、１１６は、フィルタ本体部１１５ａ、１１６ａから外方に延出するレバー１１５ｂ、１１６ｂを有しており、レバー部１１５ｂ、１１６ｂには、回動中心となる透孔１１５ｃ、１１６ｃが設けられると共に、フィルタ駆動装置３０の駆動ピン３１ａと連動部材１１７の駆動ピン１１７ｅの係合する長孔１１５ｄ、１１６ｄが設けられている。
【００８２】
連動部材１１７はＬ字形のもので、中央に設けた透孔１１７ｃを、第１の光学フィルタ１１５の透孔１１５ｃと共に支軸１０ｃに嵌めることで、回動自在に取り付けられている。また、一端１１７ａに設けた長孔１１７ｄを、第１の光学フィルタ１１５の長孔１１５ｄと共に、フィルタ駆動手段３０の駆動ピン３１ａに係合することで、駆動ピン３１ａの動きに応じて回動するようになっている。
【００８３】
連動部材１１７の他端１１７ｂには駆動ピン１１７ｅが設けられており、この駆動ピン１１７ｅに第２の光学フィルタ１１６の長孔１１６ｄが係合している。そして、連動部材１１７の駆動ピン１１７ｅの動きによって、第２の光学フィルタ１１６が回動するようになっている。
【００８４】
ここで、第１の光学フィルタ１１５の長孔１１５ｄは、フィルタ駆動装置３０の駆動ピン３１ａが、図５に示すように、第１位置（二点鎖線で示す位置）から第２位置（実線で示す位置）に変位したとき、第１の光学フィルタ１１５を光路上から退避位置へ移動させ、且つ、フィルタ駆動装置３０の駆動ピン３１ａが、図６に示すように、第２位置（二点鎖線で示す位置）から第１位置（実線で示す位置）に変位したとき、第１の光学フィルタ１１５を退避位置から光路上へ移動させるように形成されている。
【００８５】
また、連動部材１１７の長孔１１７ｄは、フィルタ駆動装置３０の駆動ピン３１ａが、図５に示すように、第１位置（二点鎖線で示す位置）から第２位置（実線で示す位置）に変位したとき、連動部材１１７を第１位置から第２位置へ移動させ、且つ、フィルタ駆動装置３０の駆動ピンが、図６に示すように、第２位置（二点鎖線で示す位置）から第１位置（実線で示す位置）に変位したとき、連動部材１１７を第２位置から第１位置へ移動させるように形成されている。
【００８６】
また、第２の光学フィルタ１１６の長孔１１６ｄは、連動部材１１７の駆動ピン１１７ｅが、図５に示すように、第１位置（二点鎖線で示す位置）から第２位置（実線で示す位置）に変位したとき、第２の光学フィルタ１１６を退避位置から光路上へ移動させ、連動部材１１７の駆動ピン１１７ｅが、図６に示すように、第２位置（二点鎖線で示す位置）から第１位置（実線で示す位置）に変位したとき、第２の光学フィルタ１１６を光路上から退避位置へ移動させるように形成されている。
【００８７】
この絞り装置１０１においては、フィルタ駆動装置３０を駆動することによって、第１、第２の光学フィルタ１１５、１１６（赤外カットフィルタとダミーフィルタ）を支軸１０ｃ、１０ｄを中心に回転スライドさせて、光路上に対して光学フィルタ１１５、１１６を抜き差しすることができる。従って、光路上に第１の光学フィルタ（赤外カットフィルタ）１１５を位置決めした場合は、撮影光の赤外領域をカットすることができる。また、第１の光学フィルタ１１５を光路上から取り除いたときには、それと交替で、光路長差を補償するためのダミーフィルタよりなる第２の光学フィルタ１１６が光路上に差し込まれるので、赤外カットフィルタの有無によるピントずれを防止することができる。
【００８８】
特に、２つの支軸１０ｃ、１０ｄによって２枚の光学フィルタ１１５、１１６をそれぞれ回動自在に支持し、連動部材１１７を介装することによって、一方の光学フィルタ１１５の動作に連動して他方の光学フィルタ１１６を回動させるようにしているので、省スペースを実現しながら、光学フィルタ１１５、１１６の切り替えを行うことができる。それ以外の作用効果は第１実施形態と全く同様である。
【００８９】
＜第３実施形態＞
図７は第３実施形態の絞り装置の全体構成を示す分解斜視図、図８は同装置において光学フィルタが第１の状態にあるときの要部平面図、図９は同装置において光学フィルタが第２の状態にあるときの要部平面図である。
【００９０】
この絞り装置２０１では、赤外カットフィルタ及びダミーフィルタである２枚の光学フィルタ２１５、２１６を、絞り基板１０上に突設した１つの支軸１０ｃに回動自在に取り付けており、２枚の光学フィルタ２１５、２１６を光路上から取り除いて退避させるとき、光路を挟んだ反対側に退避させるようにしている。それ以外の構成は、第１実施形態と全く同様である。
【００９１】
各光学フィルタ２１５、２１６は、フィルタ本体部２１５ａ、２１６ａから外方に延出するレバー２１５ｂ、２１６ｂを有しており、レバー部２１５ｂ、２１６ｂの中間部には、回動中心となる透孔２１５ｃ、２１６ｃが設けられ、レバー部２１５ｂ、２１６ｂの先端部には、フィルタ駆動装置３０の駆動ピン３１ａの係合する長孔２１５ｄ、２１６ｄが設けられている。また、第２の光学フィルタ２１６には、第１の光学フィルタ２１５を積層するための透孔２１６ｈ付きの枠部２１６ｇが形成されている。２枚の光学フィルタ２１５、２１６は、共に絞り基板１０上に設けられた１つの支軸１０ｃに回動自在に支持されることで、絞り羽根１２、１３と平行な面内にて回転スライド自在に設けられている。
【００９２】
各光学フィルタ２１５、２１６の長孔２１５ｄ、２１６ｄは、フィルタ駆動装置３０の駆動ピン３１ａが、図８に示すように、第１位置（二点鎖線で示す位置）から第２位置（実線で示す位置）に変位したとき、第１の光学フィルタ２１５を光路上から退避位置へ移動させると共に第２の光学フィルタ２１６を退避位置から光路上に移動させ、且つ、フィルタ駆動装置３０の駆動ピン３１ａが、図９に示すように、第２位置（二点鎖線で示す位置）から第１位置（実線で示す位置）に変位したとき、第２の光学フィルタ２１６を光路上から退避位置へ移動させると共に第１の光学フィルタ２１５を退避位置から光路上へ移動させるように形成されている。
【００９３】
この絞り装置２０１においては、フィルタ駆動装置３０を駆動することによって、第１、第２の光学フィルタ２１５、２１６（赤外カットフィルタとダミーフィルタ）を支軸１０ｃを中心に回転スライドさせて、光路上に対して光学フィルタ２１５、２１６を抜き差しすることができる。従って、光路上に第１の光学フィルタ（赤外カットフィルタ）２１５を位置決めした場合は、撮影光の赤外領域をカットすることができる。また、第１の光学フィルタ２１５を光路上から取り除いたときには、それと交替で、光路長差を補償するためのダミーフィルタよりなる第２の光学フィルタ２１６が光路上に差し込まれるので、赤外カットフィルタの有無によるピントずれを防止することができる。
【００９４】
特に、光路上に抜き差しする際に２枚の光学フィルタ２１５、２１６を同じ方向に動かすようにしたので、動作スペースを確保する上では不利であるものの、同じ方向の動きであるから、抵抗の少ないスムーズな動きを実現することができる。また、一方の光学フィルタ２１６に、他方の光学フィルタ２１５を積層するための透孔２１６ｈ付きの枠部２１６ｇを形成したので、２枚の光学フィルタ２１５、２１６の積層状態を安定させることができ、スムーズな動きを実現できる。それ以外の作用効果は第１実施形態と全く同様である。
【００９５】
なお、上記実施形態においては、第１、第２の光学フィルタ１５（１１５、２１５）、１６（１１６、２１６）の組み合わせを、赤外カットフィルタとダミーフィルタとしているが、本発明は特にそれに限定されるものではなく、単に光学特性の異なるフィルタの組み合わせとすればよい。
【００９６】
また、上記実施形態においては、絞り基板１０の上面に、絞り羽根１２、１３等の脱落防止を目的として羽根カバー１４を取り付けているが、絞り羽根１２、１３は絞り基板１０側のガイドピン１１ａ〜１１ｄによって脱落止めされているので、必ずしも羽根カバー１４は取り付けなくてもよい。
【００９７】
また、上記実施形態においては、２枚の絞り羽根１２、１３によって絞りを調節する場合について述べたが、１枚の絞り羽根で絞りを調節する場合にも本発明は適用することができる。その場合は、例えば、光学フィルタ１５（１１５、２１５）、１６（１１６、２１６）を１枚の絞り羽根と絞り基板の隙間に配置すればよい。
【図面の簡単な説明】
【００９８】
【図１】本発明の第１実施形態の絞り装置の全体構成を示す分解斜視図である。
【図２】同装置において光学フィルタが第１の状態にあるときの要部平面図である。
【図３】同装置において光学フィルタが第２の状態にあるときの要部平面図である。
【図４】本発明の第２実施形態の絞り装置の全体構成を示す分解斜視図である。
【図５】同装置において光学フィルタが第１の状態にあるときの要部平面図である。
【図６】同装置において光学フィルタが第２の状態にあるときの要部平面図である。
【図７】本発明の第３実施形態の絞り装置の全体構成を示す分解斜視図である。
【図８】同装置において光学フィルタが第１の状態にあるときの要部平面図である。
【図９】同装置において光学フィルタが第２の状態にあるときの要部平面図である。
【図１０】上記各実施形態におけるフィルタ駆動装置の構成を示す図で、（ａ）は駆動ピンが第１位置と第２位置の中間位置にあるときの状態を示す図、（ｂ）は駆動ピンが第２の位置にあるときの状態を示す図、（ｃ）は第１位置にあるときの状態を示す図である。
【図１１】実施形態の絞り装置をレンズ鏡筒に横から組み付ける場合の説明に使用する斜視図である。
【図１２】従来のＣＣＴＶカメラシステムにおける絞りと光学フィルタの関係を示す概略構成図で、（ａ）は光学フィルタを光路上に位置させた状態を示す図、（ｂ）は光学フィルタを光路上から取り外した状態を示す図である。
【図１３】別の従来のＣＣＴＶカメラシステムにおける絞りと光学フィルタの関係を示す概略構成図で、（ａ）は光学フィルタを光路上に位置させた状態を示す図、（ｂ）は光学フィルタを光路上から取り外した状態を示す図である。
【符号の説明】
【００９９】
１，１０１，２０１  絞り装置
２  レンズ鏡筒
１０  絞り基板
１０ａ  開口部
１２，１３  絞り羽根
１２ｅ，１３ｅ  透孔部
１２ｆ，１３ｆ  ＮＤフィルタ
１５，１６  光学フィルタ
１５ｃ，１６ｃ  透孔
１５ｄ，１６ｄ  長孔
２０  絞り駆動装置（絞り駆動手段）
３０  フィルタ駆動装置（フィルタ駆動手段）
３１ａ  駆動ピン
３２  ロータ（永久磁石）
３６  コイル（ステータ）
３７  軟磁性体
１１５，１１６  光学フィルタ
１１５ｃ，１１６ｃ  透孔
１１５ｄ，１１６ｄ  長孔
１１７  連動部材
１１７ｃ  透孔
１１７ｄ  長孔
１１７ｅ  駆動ピン
２１５，２１６  光学フィルタ
２１５ｃ，２１６ｃ  透孔
２１５ｄ，２１６ｄ  長孔
【図１】
2007057897.tif 000003
【図２】
2007057897.tif 000004
【図３】
2007057897.tif 000005
【図４】
2007057897.tif 000006
【図５】
2007057897.tif 000007
【図６】
2007057897.tif 000008
【図７】
2007057897.tif 000009
【図８】
2007057897.tif 000010
【図９】
2007057897.tif 000011
【図１０】
2007057897.tif 000012
【図１１】
2007057897.tif 000013
【図１２】
2007057897.tif 000014
【図１３】
2007057897.tif 000015